(57)【要約】【課題】この発明は、受信可能チャンネル探索処理の実行回数を低減化させることができ、使い勝手が良くなるテレビ放送受信機能付き携帯型電話機における受信可能チャンネル情報取得方法を提供することを目的とする。【解決手段】テレビ放送受信機能付き携帯型電話機の通信に用いられる各基地局は、その基地局が存在する地域に応じた、地上波デジタルテレビ放送の受信可能チャンネル情報を保持しており、テレビ放送受信機能付き携帯型電話機は、通信している基地局が変わったときに、新しい基地局に受信可能チャンネル情報を要求し、この要求を受けた基地局は、自己が保持している受信可能チャンネル情報を上記テレビ放送受信機能付き携帯型電話機に送信し、上記テレビ放送受信機能付き携帯型電話機は、上記基地局から送信された受信可能チャンネル情報を受信することにより、受信可能チャンネル情報を取得する。【選択図】  図１
2004312164.tif 000002
【特許請求の範囲】
【請求項１】
地上波デジタルテレビ放送を受信する機能を備えたテレビ放送受信機能付き携帯型電話機における受信可能チャンネル情報取得方法において、
テレビ放送受信機能付き携帯型電話機の通信に用いられる各基地局は、その基地局が存在する地域に応じた、地上波デジタルテレビ放送の受信可能チャンネル情報を保持しており、
テレビ放送受信機能付き携帯型電話機は、通信している基地局が変わったときに、新しい基地局に受信可能チャンネル情報を要求し、
この要求を受けた基地局は、自己が保持している受信可能チャンネル情報を上記テレビ放送受信機能付き携帯型電話機に送信し、
上記テレビ放送受信機能付き携帯型電話機は、上記基地局から送信された受信可能チャンネル情報を受信することにより、受信可能チャンネル情報を取得することを特徴とするテレビ放送受信機能付き携帯型電話機における受信可能チャンネル情報取得方法。
【請求項２】
地上波デジタルテレビ放送を受信する機能を備えたテレビ放送受信機能付き携帯型電話機における受信可能チャンネル情報取得方法において、
テレビ放送受信機能付き携帯型電話機は、通信している基地局が変わったときに、新しい基地局に受信可能チャンネル情報を要求し、
この要求を受けた基地局は、自己が受信可能チャンネル情報を保持している場合には、保持している受信可能チャンネル情報を上記テレビ放送受信機能付き携帯型電話機に送信し、自己が受信可能チャンネル情報を保持していない場合には、受信可能チャンネル情報を保持していない旨を上記テレビ放送受信機能付き携帯型電話機に送信し、
上記基地局から受信可能チャンネル情報が送信されてきた場合には、上記テレビ放送受信機能付き携帯型電話機は、その受信可能チャンネル情報を受信することにより、受信可能チャンネル情報を取得し、
上記基地局から受信可能チャンネル情報を保持していない旨が送信されてきた場合には、上記テレビ放送受信機能付き携帯型電話機は、受信可能チャンネル探索処理を行うことにより受信可能チャンネル情報を取得するとともに、取得した受信可能チャンネル情報を上記基地局に送信し、
上記基地局は、受信可能チャンネル情報を受信した場合には、受信した受信可能チャンネル情報を、その基地局が存在する地域に応じた、地上波デジタルテレビ放送の受信可能チャンネル情報として保持することを特徴とするテレビ放送受信機能付き携帯型電話機における受信可能チャンネル情報取得方法。
【発明の詳細な説明】
【０００１】
【発明の属する技術分野】
この発明は、テレビ放送受信機能付き携帯型電話機における受信可能チャンネル情報取得方法に関する。
【０００２】
【従来の技術】
携帯型電話機として、地上波デジタルテレビ放送を受信する機能を備えたテレビ放送受信機能付き携帯型電話機が既に開発されている。この種のテレビ放送受信機能付き携帯型電話機では、携帯型電話機が移動することにより、放送受信エリアが変わった場合、受信可能なチャンネルに関する情報（受信可能チャンネル情報）を取得するために、周波数をスキャンして受信できるチャンネルを探索していくことによって、受信可能チャンネル情報を取得するといった受信可能チャンネル探索処理を実行させる必要がある。
【０００３】
このため、携帯型電話機のユーザは、視聴しているテレビ放送が受信できなくなったときに、時間のかかる受信可能チャンネル探索処理を実行させる必要があり、使い勝手が悪いという問題がある。
【０００４】
なお、受信可能チャンネル情報は、受信可能な各周波数、受信可能な各周波数に関する以下の３種類のＩＤ情報等からなる。
・ＲＥＭＯＴＥ＿ＣＯＮＴＲＯＬ  ＿ＫＥＴ  ＿ＩＤ：どのプリセットキー（１−１２）にそのチャンネルを割り当てるかを表すＩＤ
・ＳＥＲＶＩＣＥ  ＿ＩＤ：実際のサービスＩＤであり、地域識別、地域事業者番号、サービス種別を含む
・ＮＥＴＷＯＲＫ  ＿ＩＤ：ネットワークＩＤ
【０００５】
【発明が解決しようとする課題】
この発明は、受信可能チャンネル探索処理の実行回数を低減化させることができ、使い勝手が良くなるテレビ放送受信機能付き携帯型電話機における受信可能チャンネル情報取得方法を提供することを目的とする。
【０００６】
【課題を解決するための手段】
請求項１に記載の発明は、地上波デジタルテレビ放送を受信する機能を備えたテレビ放送受信機能付き携帯型電話機における受信可能チャンネル情報取得方法において、テレビ放送受信機能付き携帯型電話機の通信に用いられる各基地局は、その基地局が存在する地域に応じた、地上波デジタルテレビ放送の受信可能チャンネル情報を保持しており、テレビ放送受信機能付き携帯型電話機は、通信している基地局が変わったときに、新しい基地局に受信可能チャンネル情報を要求し、この要求を受けた基地局は、自己が保持している受信可能チャンネル情報を上記テレビ放送受信機能付き携帯型電話機に送信し、上記テレビ放送受信機能付き携帯型電話機は、上記基地局から送信された受信可能チャンネル情報を受信することにより、受信可能チャンネル情報を取得することを特徴とする。
【０００７】
請求項２に記載の発明は、地上波デジタルテレビ放送を受信する機能を備えたテレビ放送受信機能付き携帯型電話機における受信可能チャンネル情報取得方法において、テレビ放送受信機能付き携帯型電話機は、通信している基地局が変わったときに、新しい基地局に受信可能チャンネル情報を要求し、この要求を受けた基地局は、自己が受信可能チャンネル情報を保持している場合には、保持している受信可能チャンネル情報を上記テレビ放送受信機能付き携帯型電話機に送信し、自己が受信可能チャンネル情報を保持していない場合には、受信可能チャンネル情報を保持していない旨を上記テレビ放送受信機能付き携帯型電話機に送信し、上記基地局から受信可能チャンネル情報が送信されてきた場合には、上記テレビ放送受信機能付き携帯型電話機は、その受信可能チャンネル情報を受信することにより、受信可能チャンネル情報を取得し、上記基地局から受信可能チャンネル情報を保持していない旨が送信されてきた場合には、上記テレビ放送受信機能付き携帯型電話機は、受信可能チャンネル探索処理を行うことにより受信可能チャンネル情報を取得するとともに、取得した受信可能チャンネル情報を上記基地局に送信し、上記基地局は、受信可能チャンネル情報を受信した場合には、受信した受信可能チャンネル情報を、その基地局が存在する地域に応じた、地上波デジタルテレビ放送の受信可能チャンネル情報として保持することを特徴とする。
【０００８】
【発明の実施の形態】
以下、図面を参照して、この発明の実施の形態について説明する。
【０００９】
〔１〕第１の実施の形態の説明
第１の実施の形態では、テレビ放送受信機能付き携帯電話機の通信のために用いられる各基地局（中継局）は、その基地局が存在する地域に応じた、地上波デジタルテレビ放送の受信可能チャンネル情報を保持しているものとする。
【００１０】
各基地局がその基地局が存在する地域に応じた受信可能チャンネル情報を取得する方法としては、例えば、次のような方法が考えられる。
【００１１】
各地域毎の受信可能チャンネル情報を保持しているサーバからその基地局が存在する地域に応じた受信可能チャンネル情報を取得する。あるいは、その基地局においてデジタルテレビ放送受信機に実際に受信可能チャンネル探索処理を行わせることにより、その基地局が存在する地域に応じた、地上波デジタルテレビ放送の受信可能チャンネル情報を取得する。
【００１２】
図１は、テレビ放送受信機能付き携帯型電話機の受信可能チャンネル情報取得処理手順を示している。
【００１３】
テレビ放送受信機能付き携帯型電話機（以下、単に携帯型電話機という）は、当該携帯型電話機と通信を行う基地局が変化したか否かを判別する（ステップ１）。
【００１４】
携帯型電話機と通信を行う基地局が変化した場合には、携帯型電話機は、新しい基地局に対して、受信可能チャンネル情報を要求する（ステップ２）。基地局は、携帯型電話機から受信可能チャンネル情報が要求された場合には、保持している受信可能チャンネル情報を当該携帯型電話機に送信する。
【００１５】
携帯型電話機は、基地局から送信された受信可能チャンネル情報を受信すると、受信可能チャンネル情報から地上波デジタルテレビ放送の規格に従ってチャンネルリストを構築して、受信可能なチャンネルをプリセットキーに割り当てる（ステップ３）。これにより、携帯型電話機は、テレビ放送が受信可能な状態となる（ステップ４）。
【００１６】
〔２〕第２の実施の形態の説明
第２の実施の形態では、携帯電話機の通信のために用いられる各基地局（中継局）は、最初は、その基地局が存在する地域に応じた受信可能チャンネル情報を保持していない。そして、後述するように、任意の携帯型電話機から、受信可能チャンネル情報が送られくると、その受信可能チャンネル情報を受信して保持する。
【００１７】
図２は、テレビ放送受信機能付き携帯型電話機の受信可能チャンネル情報取得処理手順を示している。
【００１８】
携帯型電話機は、当該携帯型電話機と通信を行う基地局が変化したか否かを判別する（ステップ１１）。
【００１９】
携帯型電話機と通信を行う基地局が変化した場合には、携帯型電話機は、新しい基地局に対して、受信可能チャンネル情報を要求する（ステップ１２）。基地局は、携帯型電話機から受信可能チャンネル情報が要求されたときには、基地局が受信可能チャンネル情報を保持している場合には、保持している受信可能チャンネル情報を当該携帯型電話機に送信する。一方、基地局が受信可能チャンネル情報を保持していない場合には、受信可能チャンネル情報を保持していない旨を当該携帯型電話機に送信する。
【００２０】
携帯型電話機は、受信可能チャンネル情報または受信可能チャンネル情報を保持していない旨が、基地局から送られてくるのを待つ（ステップ１３、１４）。
【００２１】
基地局からの受信可能チャンネル情報を受信した場合には（ステップ１３でＹＥＳ）、携帯型電話機は、受信可能チャンネル情報から地上波デジタルテレビ放送の規格に従ってチャンネルリストを構築して、受信可能なチャンネルをプリセットキーに割り当てる（ステップ１５）。これにより、テレビ放送が受信可能な状態となる（ステップ１８）。
【００２２】
受信可能チャンネル情報を保持していない旨を受信した場合には（ステップ１４でＹＥＳ）、携帯型電話機は、受信可能チャンネル探索処理を実行する（ステップ１６）。これにより、受信可能チャンネル情報が取得されるので、チャンネルリストが構築され、受信可能なチャンネルがプリセットキーに割り当てられる。
【００２３】
この後、携帯型電話機は、受信可能チャンネル探索処理によって得られた受信可能チャンネル情報を、上記基地局に送信する（ステップ１７）。この後、携帯型電話機は、テレビ放送が受信可能な状態となる（ステップ１８）。なお、基地局は、携帯型電話機から受信可能チャンネル情報が送られてくると、これを受信し、受信した受信可能チャンネル情報をその基地局が存在する地域に応じた受信可能チャンネル情報として保持する。
【００２４】
【発明の効果】
この発明によれば、受信可能チャンネル探索処理の実行回数を低減化させることができ、使い勝手が良くなるテレビ放送受信機能付き携帯型電話機が得られる。
【図面の簡単な説明】
【図１】テレビ放送受信機能付き携帯型電話機の受信可能チャンネル情報取得処理手順を示すフローチャートである。
【図２】テレビ放送受信機能付き携帯型電話機の受信可能チャンネル情報取得処理手順の他の例を示すフローチャートである。
【図１】
2004312164.tif 000003
【図２】
2004312164.tif 000004